(57)【要約】【課題】運転免許証の不携帯を防ぎ、取り扱いが楽で、薄型で運転免許証サイズよりも若干大きな程度のサイズにすることにより、上着やズボンのポケットの中に入れても邪魔にならず、運転免許証を取り出さない限り運転免許証に記載されている個人情報が周囲の人に見られることがなく、見栄えも良く、運転免許証ホルダーからキーホルダーが不用意に外れ難い、キーホルダー付き運転免許証ホルダーを提供することを課題とする。【解決手段】皮革、合成皮革、布地のいずれかにより、運転免許証の個人情報が見えないようにして収納することができる運転免許証サイズより若干大きいサイズの運転免許証収納部が設けられた薄型の運転免許証ホルダーに、キーホルダーが取り付けられている。【選択図】図１
0003123324.tif 000002
【実用新案登録請求の範囲】
【請求項１】
運転免許証収納部が設けられた運転免許証ホルダーにキーホルダーが取り付けられたキーホルダー付き運転免許証ホルダーであり、
運転免許証ホルダーは、皮革、合成皮革、布地のいずれかによるシート基材により運転免許証が入る大きさの矩形状に形成された略平坦な袋状を有し、袋口よりなる運転免許証の収納口が上部又は側部に形成され、該収納口を覆うカバー部が背面側から手前方向に折り返されて形成され、カバー部の先端近傍部とその対向面にカバー部を閉止姿勢で係止させる着脱可能な一対の止め部材が設けられ、運転免許証ホルダーの上端部近傍箇所に、直接又は取付部材を介して、キーホルダーが取り付けられていることを特徴とするキーホルダー付き運転免許証ホルダー。
【請求項２】
運転免許証の収納部が設けられた運転免許証ホルダーにキーホルダーが取り付けられたキーホルダー付き運転免許証ホルダーであり、
運転免許証ホルダーは、皮革、合成皮革、布地のいずれかによるシート基材が重ね合わされ、その開放縁部の１縁部を残す他の開放縁部に沿った近傍個所が縫合又は融着により接着されて、表面側のシート部と背面側のシート部との間に、運転免許証を上方から挟み入れて運転免許証の大部分を収納する運転免許証収納部が形成され、
背面側又は表面側のシート部の上端部が、運転免許証の収納口よりも上方に延出形成されて、この延出形成された上部面に、直接又は取付部材を介して、キーホルダーが取り付けられていることを特徴とするキーホルダー付き運転免許証ホルダー。
【請求項３】
運転免許証ホルダーが、背面側のシート部と表面側のシート部との間に中央シート部が重ね合わされて、各シート部の重ね合わされた上端側の開放縁部を残す他の開放縁部が縫合により固定されて、表面側のシート部と中央シート部との間に一方の運転免許証収納部が形成され、背面側のシート部と中央シート部との間に他方の運転免許証収納部が形成されてなる請求項２に記載のキーホルダー付き運転免許証ホルダー。
【請求項４】
運転免許証ホルダーにおける表面側又は背面側のシート部に、切符、サービス券、メモ用紙などの紙片を挟み入れるスリットが形成され、或いは、これら紙片を挟み入れる挟持用シート片が固定されている請求項１乃至３のいずれかの項に記載のキーホルダー付き運転免許証ホルダー。
【考案の詳細な説明】
【技術分野】
【０００１】  本考案は、運転免許証ホルダーにキーホルダーが装着されたキーホルダー付き運転免許証ホルダーに関する。
【背景技術】
【０００２】  自動車を運転するときに必ず携帯しなければならない物が、自動車のエンジンキーと運転免許証（以下、運転免許証と称する。）である。運転免許証は財布や手提げバッグに入れられて常時携帯される場合が殆どであるが、運転免許証を財布や手提げバッグに入れ忘れることもあり、財布や手提げバッグを持たずに自動車を運転する可能もある。この場合には運転免許証の不携帯になり、検問の際に反則切符を切られて、反則金を支払うことになる。
また、運転免許証を財布に入れるようにすると、財布を落とした後に、運転免許証が戻ってくる割合が低いことが知られている。
このため、運転免許証を入れた運転免許証ホルダーにキーホルダーを取り付けて、このキーホルダーにエンジンキーを掛け止めると、運転免許証の不携帯が生じない。つまり、キーホルダー付き運転免許証ホルダーを利用すれば良いのである。【０００３】  キーホルダー付き運転免許証ホルダーについて、特許文献１によるキーホルダー付き免許証入れ、特許文献２による自動車免許証収納用キーホルダーセット、特許文献３による免許証入れ御守りキーホルダーなどが公知である。【０００４】
【特許文献１】実開平２−１４５１１８号公報
【特許文献２】実開平３−３５７２２号公報
【特許文献３】実用新案登録第３０８４５２２号公報
【考案が解決しようとする課題】
【０００５】
【０００６】  しかしながら、特許文献１によるキーホルダー付き免許証入れは、同特許文献１の第１図及び第３図に示すように、免許証入れ本体１のサイズが、免許証を入れるポケット２よりもかなり大きいために、手で持って取り扱いし難く、この免許証入れを上着やズボンのポケットに入れ難く、ポケットに入れた後も、ポケットが平坦に広がって見苦しくなる不具合がある。
【０００７】  特許文献２による自動車免許証収納用キーホルダーセットは、自動車免許証収納用キーホルダー本体２の免許証収納部７内に入れた運転免許証が、このキーホルダー本体１の透視窓１６を通して外側から見えるために、キーホルダー本体１の見栄えが煩雑になり、運転者の個人情報が他人に見られ易くなる不具合がある。また、自動車免許証収納用キーホルダー本体２は、厚さ方向に嵩張った形状になっているため、上着やズボンのポケットに入れたときに、ポケットが大きく膨らんで、服装の見栄えが悪くなる不具合がある。
【０００８】  特許文献３による免許証入れお守りキーホルダーは、キーホルダーを取り付ける帯状部分２の先端部が、免許証入れお守りキーホルダー本体部分１の上端開口縁の近傍面に、ボタン止めされて係止されているが、ボタン止めによる係止は、この係止が外れ易く、キーを紛失させ易い不具合があった。
【０００９】  本考案は、運転免許証の不携帯を防ぎ、取り扱いが楽で、薄型で運転免許証サイズよりも若干大きな程度のサイズにすることにより、上着やズボンのポケットの中に入れても邪魔にならず、運転免許証を取り出さない限り運転免許証に記載されている個人情報が周囲の人に見られることがなく、見栄えも良く、運転免許証ホルダーからキーホルダーが不用意に外れ難い、キーホルダー付き運転免許証ホルダーを提供することを課題とする。
【課題を解決する手段】
【００１０】  請求項１のキーホルダー付き運転免許証ホルダーは、運転免許証収納部が設けられた運転免許証ホルダーにキーホルダーが取り付けられたキーホルダー付き運転免許証ホルダーであり、
運転免許証ホルダーは、皮革、合成皮革、布地のいずれかによるシート基材により運転免許証が入る大きさの矩形状に形成された略平坦な袋状を有し、袋口よりなる運転免許証の収納口が上部又は側部に形成され、該収納口を覆うカバー部が背面側から手前方向に折り返されて形成され、カバー部の先端近傍部とその対向面にカバー部を閉止姿勢で係止させる着脱可能な一対の止め部材が設けられ、運転免許証ホルダーの上端部近傍箇所に、直接又は取付部材を介して、キーホルダーが取り付けられていることを特徴とする。
【００１１】  請求項２のキーホルダー付き運転免許証ホルダーは、運転免許証の収納部が設けられた運転免許証ホルダーにキーホルダーが取り付けられたキーホルダー付き運転免許証ホルダーであり、
運転免許証ホルダーは、皮革、合成皮革、布地のいずれがによるシート基材が重ね合わされ、その開放縁部の１縁部を残す他の開放縁部に沿った近傍個所が縫合又は融着により接着されて、表面側のシート部と背面側のシート部との間に、運転免許証を上方から挟み入れて運転免許証の大部分を収納する運転免許証収納部が形成され、
背面側又は表面側のシート部の上端部が、運転免許証の収納口よりも上方に延出形成されて、この延出形成された上部面に、直接又は取付部材を介して、キーホルダーが取り付けられていることを特徴とする。
【００１２】  請求項３のキーホルダー付き運転免許証ホルダーは、請求項２のキーホルダー付き運転免許証ホルダーにおける運転免許証ホルダーが、背面側のシート部と表面側のシート部との間に中央シート部が重ね合わされて、各シート部の重ね合わされた上端側の開放縁部を残す他の開放縁部が縫合により固定されて、表面側のシート部と中央シート部との間に一方の運転免許証収納部が形成され、背面側のシート部と中央シート部との間に他方の運転免許証収納部が形成されてなる。
【００１３】  請求項４のキーホルダー付き運転免許証ホルダーは、上記いずれかの運転免許証ホルダーにおける表面側又は背面側のシート部に、切符、サービス券、メモ用紙などの紙片を挟み入れるスリットが形成され、或いは、これら紙片を挟み入れる挟持用シート片が固定されている。
【考案の効果】
【００１４】  本考案による各請求項のキーホルダー付き免許証ホルダーでは、キーホルダーと免許証ホルダーとが連結しているため、運転免許証ホルダー内に運転免許証を常に収納させておくと、自動車を運転するときに運転免許証の不携帯になることがない。
【００１５】  また、本考案による各請求項のキーホルダー付き運転免許証ホルダーは、運転免許証収納部が、皮革、合成皮革、布地のいずれかの生地により、運転免許証の全体又は大部分を覆い隠す大きさに形成されているために、キーホルダー付き運転免許証ホルダーが人の目に触れる状態に置かれても、運転免許証を取り出さない限り運転免許証に記載の個人情報が不用意に他人に見られることがない。しかも、運転免許証の全体又は大部分が見えなくなっているために、運転免許証ホルダーは、すっきりとした見栄えの良い外観になり、運転免許証の汚れ及び傷付きが防止出来る。
【００１６】  また、本考案による各請求項のキーホルダー付き運転免許証ホルダーは、運転免許証が収まるサイズの薄型構造であるために、使い易く、見栄えが良く、上着やズボンのポケットに入れても、ポケットが大きく膨らんで服装が見苦しくなることがない。
【００１７】  また、本考案による各請求項のキーホルダー付き運転免許証ホルダーは、運転免許証を横向きにした姿勢で運転免許証収納部内に収納し、キーホルダーが運転免許証ホルダーの上端部に取り付けられているために、手で持ち易く、キー操作が楽に行なえる。
【００１８】  とくに、請求項１のキーホルダー付き運転免許証ホルダーは、運転免許証ホルダーを、皮革、合成皮革、布地のいずれかの基材により運転免許証が入る大きさの矩形状の略平坦な袋状を有しているために、運転免許証、ＥＴＣカード、給油所のサービスカード、メモなどを、一緒に袋内に収納出来るようになり、袋口をカバー部で覆うと、袋内からこれらの収納物が不用意に抜け落ちない。
【００１９】  とくに、請求項２のキーホルダー付き運転免許証ホルダーは、運転免許証ホルダーが表面側と背面側の各シート部との間に、運転免許証を上方から挟み入れるという、可能な限りの薄型構造であるため、更に使い易く、嵩張らない。
【００２０】  とくに、請求項３のキーホルダー付き運転免許証ホルダーは、運転免許証ホルダーの表側と裏側に運転免許証収納部が設けられているために、運転免許証と、ＥＴＣカード、給油所のサービスカード、名刺などからなる他のカードとを、個別に収納出来る。このために、更に便利で使い易いキーホルダー付き運転免許証ホルダーになった。
【００２１】とくに、請求項４のキーホルダー付き運転免許証ホルダーは、上記いずれかの運転免許証ホルダーに、切符、サービス券、メモ用紙などの紙片を挟み入れるスリットが形成され、或いは、これら紙片を挟み入れる挟持用シート片が固定されているために、更に便利なキーホルダー付き免許証ホルダーになった。
【考案を実施するための最良の形態】
【００２２】  本考案を実施するための最良の形態は、次の各実施例のとおりである。
【実施例１】
【００２３】  図１（ａ）は本考案による実施例１のキーホルダー付き運転免許証ホルダーを使用状態で示す斜視図であり、図１（ｂ）はその側面断面図である。
図１（ａ）（ｂ）に示すキーホルダー付き運転免許証ホルダー１Ａは、運転免許証Ｃを横向きにした姿勢で上方から収納する運転免許証収納部２ｅが設けられた運転免許証ホルダー２に、自動車のエンジンキーＫ及び各種キーを掛け止めるキーホルダー６が取り付けられたもので構成されている。【００２４】  運転免許証ホルダー２を構成する背面側のシート部２ａと表面側のシート部２ｂとは、下端部で連続しており、表面側のシート部２ｂが手前方向に折り返されて、双方のシート部２ａ，２ｂが重ね合わされて、この重ね合わされた両サイドが縫合されている。３は縫合に用いられている糸を示している。【００２５】  運転免許証ホルダー２をこのようにして出来ており、背面側のシート部２ａと表面側のシート部２ｂの間に、運転免許証Ｃを収納する運転免許証収納部２ｅが形成され、運転免許証収納部２ｅの上端部に形成されている袋口が運転免許証収納口２ｄになる。【００２６】  背面側のシート部２ａの上端部には、背面側のシート部２ａと同幅のカバー部２ｃが連続して形成されており、このカバー部２ｃは、手前下方に折り返されて運転免許証収納口２ｄを覆って表面側のシート部部２ｂに重ね合わすことが出来る長さを有している。【００２７】  カバー部２ｃの先端縁に沿った背面には、雄雌一対で構成される面ファスナーＦの一方の面ファスナー部Ｆａが縫合又は接着により固定され、この面ファスナー部Ｆａに対向する表面側のシート部２ｂには、他方の面ファスナー部Ｆｂが縫合又は接着により固定されている。【００２８】  表面側のシート部２ｂの略中央部には、切符、サービス券、メモ用紙などの紙片を挟み入れるための補助ホルダーになる、横方向に向けた長さ３ｃｍ程度のスリット２ｆが形成されている。Ｔは切符を示している。【００２９】  キーホルダー６は、２個のリング体７，９を有し、一方のリング体７にキー（エンジンキーＫ）を掛け止めるフック８の基部が軸回転自在に装着されたもので構成されており、運転免許証ホルダー２の上端中央部にホックＨで止められて輪形状に装着された皮製の取付部材５を介して、運転免許証ホルダー２に取り付けられている。
フック８には、例えば、エンジンキーＫが掛け止められる。他のキーは、例えば、他方のリング体９に、直接又はフックを介して、掛け止められる。【００３０】  運転免許証収納部２ｅ内に運転免許証Ｃを収納する場合には、カバー部２ｃを上方に開いた状態で行なう。そして、運転免許証Ｃの収納した後は、カバー部２ｃを閉じてカバー部２ｃをファスナー止めして、運転免許証Ｃが運転免許証収納部２ｅ内から抜け出ないようにする。【００３１】  運転免許証ホルダー２に、例えば、切符Ｔを保持させる場合には、運転免許証ホルダー２の表面部２ｂに形成されているスリット２ｆ（補助ホルダー）に切符Ｔの一部を挟み入れるようにする。
【実施例２】
【００３２】  図２は本考案による実施例２のキーホルダー付き運転免許証ホルダー１Ｂの使用状態を斜視図で示している。
図２に示す実施例２の運転免許証ホルダー１Ｂは、横向きにした運転免許証Ｃを側方がら収納する運転免許証収納部２１ｅが設けられた運転免許証ホルダー２１に，自動車のエンジンキーＫ及び各種キーを掛止めるキーホルダー６が取り付けられたもので構成されている。【００３３】  運転免許証ホルダー２１を構成する背面側のシート部２１ａと表面側のシート部３１ｂとは横方向に連続しており、双方の境界部分から表面側のシート部３１ｂが手前方向に折り返されて、双方のシート２１ａ、２１ａが重ね合わされている。
そして、この重ね合わされた上端縁と下端縁に沿った個所が縫合されて、背面部２１ａと表面部２１ｂとの間に、運転免許証Ｃを収納する運転免許証収納部２１ｅが形成され、運転免許証ホルダー２１の片側に運転免許証収納口２１ｄが形成されている。３は縫合に用いられている糸を示している。【００３４】  カバー部２１ｃは、背面側のシート部２１ｂの運転免許証収納口２１ｄ側と連続して形成されて、運転免許証収納口２１ｄを覆う手前方向に折り返されている。カバー部２１ｄの先端近傍面と、その対向面になる表面部２１ｂの個所には、カバー部２１ｃを閉じた状態に維持させる一対のホックＨ１の対応する片方が夫々装着されている。【００３５】  キーホルダー６は、実施例１のものと同じキーホルダーで構成され、運転免許証ホルダー２１の上端部にホックＨで止められて輪形状になった皮製の装着部材５を介して、運転免許証ホルダー２１の上端部に掛け止められている。
【実施例３】
【００３６】  図３（ａ）は本考案による実施例３のキーホルダー付き運転免許証ホルダー１Ｃの使用状態を斜視図で示し、図３（ｂ）は同じく側面断面図で示している。
図３（ａ）（ｂ）に示す実施例３のキーホルダー付き運転免許証ホルダー１Ｃは、運転免許証Ｃを横向きにした姿勢で上方から収納する運転免許証収納部２２ｅが設けられた運転免許証ホルダー２２に，自動車のエンジンキーＫ及び各種キーを掛止めるキーホルダー６が取り付けられたもので構成されている。【００３７】  運転免許証ホルダー２２は、革製であり、運転免許証Ｃよりも一回り大きく、しかも、縦方向の長さが横向きにした運転免許証Ｃの高さよりも数ｃｍ〜５ｃｍ程度長く形成された背面側のシート部２２ａと、背面側のシート部２ａと下端部で連続して手前方向に折り返されている表面側のシート部２２ｂとが、重ね合わされて、重ね合わされた両サイドに沿った個所が縫合されて、背面のシート部２２ａと表面側のシート部２２ｂとの間に、運転免許証Ｃを上方から挟みこんで収納させる運転免許証収納口２２ｄを上方に向けた運転免許証収納部２２ｅが形成されたもので構成されている。３は縫合に用いられている糸を示している。【００３８】  運転免許証収納口２２ｄと運転免許証収納部２２ｅは、運転免許証Ｃを収納していない状態では、運転免許証Ｃの厚さよりも狭くなっており、運転免許証Ｃを運転免許証収納口２２ｄから運転免許証収納部２２ｅ内に挟み込むようにして入れると、押し広げられる。このため、運転免許証Ｃが不用意に抜け落ちることはない。【００３９】  運転免許証収納部２２ｅの深さは、横向きにした運転免許証Ｃの上端部が１ｃｍ程度上方に出る深さにして、運転免許証Ｃを指先で滑らせて取り出し易くしてある。【００４０】  背面側シート部２２ａの上端部２２ｈは、背面側に折り返されて縫合されている。５は縫合に用いられている糸を示している。背面側シート部２２ａの上端部２２ｈは，運転免許証収納口２２ｄよりも高い位置に延出形成されている。【００４１】  表面側のシート部２２ｂの略中央部には、切符、サービス券、メモ用紙などの紙片を挟み入れるための補助ホルダーになる、横方向に向けた長さ３ｃｍ程度のスリット２ｆが形成されている。Ｔは切符を示している。【００４２】  キーホルダー６は、実施例１のものと同じキーホルダーで構成され、運転免許証ホルダー２２の上端部にホックＨで止められて輪形状になった皮製の装着部材５を介して、運転免許証ホルダー２１の上端部に掛け止められている。
【実施例４】
【００４３】  図４（ａ）は本考案による実施例４のキーホルダー付き運転免許証ホルダー１Ｄの使用状態を斜視図で示し、図４（ｂ）は同じく側面断面図で示している。
図４（ａ）（ｂ）に示す実施例４のキーホルダー付き運転免許証ホルダー１Ｄは、運転免許証Ｃを横向きにした姿勢で上方から収納する運転免許証収納部２３１ｅ，２３２ｅが両面に設けられた運転免許証ホルダー２３に、自動車のエンジンキーＫ及び各種キーを掛止めるキーホルダー６が取り付けられたもので構成されている。【００４４】  運転免許証ホルダー２３は、皮製であり、背面側のシート部２３ａと中央のシート部２３ｍと表面側のシート部２３ｂとの３層で形成されており、背面側のシート部２３ａと表面側のシート部２３ｂとが下端部で連続しており、双方の境界線部分から表面側のシート部２３ｂが手前側に折り返されている。
背面側のシート部２３ａと表面側のシート部２３ｂは、中央のシート部２３ｍを挟んで重ね合わされて、これらのシート部２３ａ，２３ｍ，２３ｂが重ね合わされた両サイドに沿った個所が縫合されている。３は縫合に用いられている糸を示している。【００４５】  運転免許証ホルダー２３をこのように構成すると、表面側のシート部２３ｂと中央のシート部２３ｍとの間に一方の運転免許証収納部２３１ｅが形成され、背面側のシート部２３ａと中央野シート部２３ｍとの間に他方の運転免許証収納部２３２ｅが形成される。
そして、中央のシート部２３ｍの上端部は、背面側シート部２３ａの上端部、及び、表面側のシート部２３ｂの上端部よりも、１〜３ｃｍ程度高くなる方向に長く形成されている。【００４６】  ２箇所の運転免許証収納部２３１ｅ，２３２ｅの深さは、いずれも、横向きにした運転免許証Ｃの上端部が１ｃｍ程度上方に出る程度にであり、運転免許証Ｃを指先で滑らせて取り出し易くしてある。【００４７】  表面部２３ｂの略中央部には、切符、サービス券、メモ用紙などの紙片を挟み入れるための補助ホルダーになる、横方向に向けた長さ３ｃｍ程度のスリット２ｆが形成されている。Ｔは切符を示している。【００４８】  キーホルダー６は、実施例１のものと同じキーホルダーで構成され、運転免許証ホルダー２３の上端部にホックＨで止められて輪形状になった皮製の装着部材５を介して、運転免許証ホルダー２３の上端部に掛け止められている。
【図面の簡単な説明】
【００４９】
【図１】（ａ）は本考案による実施例１のキーホルダー付き運転免許証ホルダーを使用状態で示す斜視図であり、（ｂ）はその側面断面図である。
【図２】本考案による実施例２のキーホルダー付き運転免許証ホルダーを使用状態で示す斜視図である。
【図３】（ａ）は本考案による実施例３のキーホルダー付き運転免許証ホルダーを使用状態で示す斜視図であり、（ｂ）はその側面断面図である。
【図４】（ａ）は本考案による実施例４のキーホルダー付き運転免許証ホルダーを使用状態で示す斜視図であり、（ｂ）はその側面断面図である。
【符号の説明】
【００５０】１Ａ      実施例１のキーホルダー付き運転免許証ホルダー
２        運転免許証ホルダー
２ａ      背面側のシート部
２ｂ      表面側のシート部
２ｃ      カバー部
２ｄ      運転免許証収納口
２ｅ      運転免許証収納部
２ｆ      スリット
３        縫合に用いられている糸
５        取付部材
６        キーホルダー
７        リング体
８        フック
９        リング体
Ｃ        運転免許証
Ｋ        自動車のエンジンキー
Ｆ        面ファスナー
Ｆａ      面ファスナーの一方の面部
Ｆｂ      面ファスナーの他方の面部
Ｔ        切符
Ｈ        ホック
１Ｂ      実施例２のキーホルダー付き運転免許証ホルダー
２１      運転免許証ホルダー
２１ａ    背面側のシート部
２１ｂ    表面側のシート部
２１ｃ    カバー部
２１ｄ    運転免許証収納口
２１ｅ    運転免許証収納部
Ｈ１      ホック
１Ｃ      実施例３のキーホルダー付き運転免許証ホルダー
２２      運転免許証ホルダー
２２ａ    背面側のシート部
２２ｂ    表面側のシート部
２２ｄ    運転免許証収納口
２２ｅ    運転免許運転免許証収納部
２２ｈ    上端部
１Ｄ      実施例４のキーホルダー付き運転免許証ホルダー
２３      運転免許証ホルダー
２３ａ    背面側のシート部
２３ｂ    表面側のシート部
２３１ｅ  運転免許証収納部
２３２ｅ  運転免許証収納部
２３ｍ    中央のシート部
【図１】
0003123324.tif 000003
【図２】
0003123324.tif 000004
【図３】
0003123324.tif 000005
【図４】
0003123324.tif 000006